(57)【要約】【課題】構成自体も簡単であり、調整隙間のあるミラーボックス側からの塵進入を効率よく防ぐことが可能な一眼レフレックスカメラのファインダ構造を提供する。【解決手段】一眼レフレックスカメラのファインダ構造は、ペンタプリズム２２と、ペンタプリズム２２へ反射する反射ミラー６と、スクリーン１２と、スクリーン１２と嵌合するスクリーン保持枠１１と、ペンタプリズム支持枠部分を有するペンタプリズム支持台２１と、反射ミラー６を支持し、反射ミラー側と上記ペンタプリズム側とを連通する隙間Ｓ2 を空けてスクリーン保持枠１１と嵌合し、スクリーン保持枠１１と上記ペンタプリズム支持枠部分との間に隙間Ｓ2 に対して交差する方向にスクリーン１２のペンタプリズム２２側の面とを連通する隙間Ｓ3 を空けて挿入されるミラーボックス５とを具備し、上記隙間Ｓ2 は、上記隙間Ｓ3 より大きい寸法を有している。【選択図】図６
2009258296.tif 000002
【特許請求の範囲】
【請求項１】
ペンタプリズムと、
被写体光束を上記ペンタプリズムへ反射する反射ミラーと、
板状のフォーカシングスクリーンと、
上記フォーカシングスクリーンを上記ペンタプリズムと上記反射ミラーとの間に配置するために、上記フォーカシングスクリーンに観察像光を入射させるための開口および上記フォーカシングスクリーンの周囲と嵌合する枠部分を有しており、上記フォーカシングスクリーンを保持する矩形状のスクリーン保持枠と、
上記ペンタプリズムを支持するペンタプリズム支持枠部分を有し、該支持枠部分の中央に上記ペンタプリズムの入射面に観察像光を入射させるための開口を有するペンタプリズム支持台と、
上記反射ミラーを回動可能に支持し、上記スクリーン保持枠を支持する開口を有し、該開口内周と上記スクリーン保持枠の外周との嵌合面の少なくとも一部に上記反射ミラー側と上記ペンタプリズム側とに連通する第一の隙間を設け、さらに上記スクリーン保持枠と上記ペンタプリズム支持枠部分との間の少なくとも一部に、上記スクリーンの上記ペンタプリズム側の面から上記第一の隙間に連通する第二の隙間を設けられるように上記ペンタプリズム支持枠部分が上記スクリーンを覆うように上記開口に挿入されるミラーボックスと、
を具備し、上記第一の隙間は、上記第二の隙間より大きい寸法を有することを特徴とした一眼レフレックスカメラのファインダ構造。
【請求項２】
上記スクリーンとペンタプリズムの入射面との間にはスーパーインポーズ用表示板が配置されていることを特徴とした請求項１に記載の一眼レフレックスカメラのファインダ構造。
【請求項３】
上記第１の隙間、若しくは、これに続く経路には少なくとも一部に塵を吸着するための粘着手段を配したことを特徴とする請求項１、または、２に記載の一眼レフレックスカメラのファインダ構造。
【発明の詳細な説明】
【技術分野】
【０００１】
本発明は、一眼レフレックスカメラの適用されるファインダ構造に関する。
【背景技術】
【０００２】
従来、通常の一眼レフレックスカメラ（以下、一眼レフカメラと記載する）には、周知のように撮影被写体光束を反射するための可動反射ミラーの上方部にファインダユニットを備えている。図８は、上記従来の一眼レフカメラのファインダユニットの要部の配置を示す拡大断面図である。
【０００３】
上記ファインダユニットにおいて、ファインダ観察時、フォーカシングスクリーン１０３上に結像した被写体像は、プリズム支持台１０４に支持されるペンタプリズム１０５を介して、接眼レンズ１０６により観察される。上記スクリーン１０３は、スクリーン支持枠１０２を介してミラーボックス１０１に支持されているが、カメラの組み立て時に結像位置合わせを行うために取り付け位置の微調整を行う必要がある。そのため、スクリーン支持枠１０２は、ミラーボックス１０１に対して調整隙間のある状態で支持されている。
【０００４】
また、この従来の一眼レフカメラにおいて、交換レンズを外した状態のときなど、ボディマウント開口部１０８ａから塵が進入し、可動ミラー１０９やスクリーン１０３の表面に付着する。その付着した塵は、ブロア等を使用して取り除かれる。
【発明の開示】
【発明が解決しようとする課題】
【０００５】
ところが、上記従来の一眼レフカメラでは、可動ミラー１０９やスクリーン１０３まわりを上記ブロア等を使用して掃除した場合、上記ブロアから送られた空気に混じって塵がスクリーン支持枠１０２のまわりの隙間から内部に進入し、スクリーン１０３の裏面１０３ａ（表示板１０７，ペンタプリズム１０５側）に付着する。
【０００６】
上述した塵の進入経路を考えた場合、図８に示すようにスクリーン支持枠１０２のまわりには、ミラーボックス１０１内部からカメラボディ内に通じる前方側隙間Ｓ11，後方側隙間Ｓ12と、更に、上記隙間Ｓ11，Ｓ12に連通してスクリーン１０１の裏面側に通じる隙間Ｓ13，Ｓ14が設けられている。上記隙間Ｓ13，Ｓ14は、上記隙間Ｓ11，Ｓ12と同程度の狭い隙間であり、ブロアから送られた空気は、隙間Ｓ11，Ｓ12 を流れると同時に隙間Ｓ13，Ｓ14を通してスクリーン１０３の裏面１０３ａにも流れ込む。従って、ブロアから送られた空気に混じった塵は、スクリーン１０３の裏面１０３ａに多く流れ込み、スクリーン１０３の裏面１０３ａに付着する可能性が高かった。
【０００７】
図９は、上記従来の一眼レフカメラにおいて、試験的にボディマウント開口部１０８ａおよびスクリーン１０３の周囲をブロアで清掃した後のスクリーン１０３の裏面１０３ａに付着した塵の状態を示すファインダ観察像（拡大図）の一例である。図９に示すように表示板１０７上の標識による測光エリアＡｒ１１と、フォーカスターゲットＡｒ１２の周囲に多数の塵Ｇ１１が付着した状態になっている。これらの付着した塵Ｇ１１は、上記ファインダユニットを外さない限り、排除することはできず、上記清掃の度に増えていく。
【０００８】
本発明は、上述の問題を解決するためになされたものであり、一眼レフレックスカメラのファインダ構造において、構成自体も簡単であり、ミラーボックス側からの塵の進入を効率よく防ぐことが可能なファインダ構造を提供することを目的とする。
【課題を解決するための手段】
【０００９】
本発明の請求項１記載の一眼レフレックスカメラのファインダ構造は、ペンタプリズムと、被写体光束を上記ペンタプリズムへ反射する反射ミラーと、板状のフォーカシングスクリーンと、上記フォーカシングスクリーンを上記ペンタプリズムと上記反射ミラーとの間に配置するために、上記フォーカシングスクリーンに観察像光を入射させるための開口および上記フォーカシングスクリーンの周囲と嵌合する枠部分を有して上記フォーカシングスクリーンを保持する矩形状のスクリーン保持枠と、上記ペンタプリズムを支持するペンタプリズム支持枠部分を有し、該支持枠部分の中央に上記ペンタプリズムの入射面に観察像光を入射させるための開口を有するペンタプリズム支持台と、上記反射ミラーを回動可能に支持し、上記スクリーン保持枠を支持する開口を有し、該開口内周と上記スクリーン保持枠の外周との嵌合面の少なくとも一部に上記反射ミラー側と上記ペンタプリズム側とに連通する第一の隙間を設け、さらに上記スクリーン保持枠と上記ペンタプリズム支持枠部分との間の少なくとも一部に、上記スクリーンの上記ペンタプリズム側の面から上記第一の隙間に連通する第二の隙間を設けられるように上記ペンタプリズム支持枠部分が上記スクリーンを覆うように上記開口に挿入されるミラーボックスとを具備し、上記第一の隙間は、上記第二の隙間より大きい寸法を有する。
【００１０】
本発明の請求項２に記載の一眼レフレックスカメラのファインダ構造は、請求項１に記載の一眼レフレックスカメラのファインダ構造において、上記スクリーンとペンタプリズムの入射面との間にはスーパーインポーズ用表示板が配置されている。
【００１１】
本発明の請求項３に記載の一眼レフレックスカメラのファインダ構造は、請求項１、または、２に記載の一眼レフレックスカメラのファインダ構造において、上記第１の隙間、若しくは、これに続く経路には少なくとも一部に塵が吸着するための粘着手段を配している。
【発明の効果】
【００１２】
本発明によれば、構成自体も簡単であり、ミラーボックス側からの塵の進入を効率よく防ぐことが可能な一眼レフレックスカメラのファインダ構造を提供することができる。
【発明を実施するための最良の形態】
【００１３】
以下、図を用いて本発明の実施形態について説明する。
【００１４】
図１は、本発明の一実施形態のファインダ構造部を内蔵する一眼レフカメラの外装カバーの一部を外した状態における斜視図である。図２は、上記一眼レフカメラの分解斜視図である。図３は、上記一眼レフカメラのミラーボックス、スクリーンユニット、ファインダユニットの分解斜視図である。図４は、上記スクリーンユニットの斜視図である。図５は、上記一眼レフカメラにおけるミラーボックスへのスクリーンユニットの取り付け状態を示す分解斜視図である。図６は、上記ミラーボックスの上方部に装着されるファインダ構造部まわりの光軸に沿った拡大断面図である。
【００１５】
なお、上記一眼レフカメラにおいて、装着される撮影レンズの光軸を図中、Ｏで示し、該カメラの撮影レンズ光軸Ｏに沿った被写体側を前方とし、結像側（撮像側）を後方側として、以下の説明を行う。
【００１６】
本実施形態の一眼レフカメラ１は、図１に示すように外装体を兼ねるカメラボディ前２、カメラボディ後（図示せず）、カメラボディ上（図示せず）内に組み込まれるミラーボックス５、および、メイン制御基板３等の電気制御部材と、ミラーボックス５の上部に装着され、ファインダ構造部を構成するスクリーンユニット７およびファインダユニット８（図３）と、ミラーボックス５の後方部に組み付けられるシャッタユニット３１および撮像ユニット３２（図６）とを具備している。
【００１７】
なお、一眼レフカメラ１には、ボディマウント部３３に撮影レンズを有する交換レンズ鏡筒(図示せず）が着脱可能な状態で装着される。上記撮影レンズからの光軸Ｏに沿った被写体光束の一部は、光路進入位置にある後述の可動ミラー６によりファインダユニット８側にファインダ光束（観察像光）として反射されるが、該ファインダ光束の光軸をＯｆとする。
【００１８】
ミラーボックス５は、可動ミラー６からの反射光をスクリーン１２、ペンタプリズム２２の入射面側に導くための開口部５ａを有しており、その開口部５ａの下方位置に上記被写体光束の光路中の斜設状態で位置する進入位置と、上記光路から上方に退避した退避位置とに回動移動可能な可動ミラー６（図６）が配されている。また、開口部５ａの内周面５ｎの上方側の少なくとも一部にスクリーンユニット７の外周面と対向する対向面５ｉが設けられる（図５，６）。対向面５ｉは、内周面５ｎより階段状にボディマウント部側に凹んでいる。
【００１９】
ミラーボックス５の開口部５ａの上側口元の左右の辺部には、スクリーンユニット支持部となる位置決めピン５ｃ，５ｄと、位置調整用ピン５ｂ，５ｅ，５ｆが配されている。
【００２０】
ファインダユニット８は、ミラーボックス５の開口部５ａ上部に固着され、ペンタプリズム２２の入射面に観察像光を入射させるための開口を有するプリズム支持台２１と、プリズム支持台２１の上部に固着されるペンタプリズム２２と、プリズム支持台２１の後方部に固着される接眼レンズユニット２３と、ペンタプリズム２２の入射面側に固着して配され、測光領域標識およびフォーカ領域標識を有する表示板２４および表示板枠２５と、撮影情報表示部としてのスーパーインポーズ表示部とからなる（図３）。
【００２１】
表示板２４は、ペンタプリズム２２の入射面から所定の距離離間した状態でプリズム支持台２１に固定支持される。上記ペンタプリズム２２と表示板２４との間の後方側スペースにスーパーインポーズ表示部として撮影情報表示板（ＬＣＤ）２６およびプリズム２７が配されている（図６）。
【００２２】
スクリーンユニット７は、開口をもつ枠形状で矩形状のスクリーン支持枠１１と、フォーカシングスクリーン（以下、スクリーンと記載する）１２と、スクリーン押さえ枠１３とからなる（図４，５）。
【００２３】
スクリーン支持枠１１には、左右に突出した４つの支持部に位置決め穴１１ｃと位置決め長穴１１ｄ、および、位置調整用ピン穴（逃げ）１１ｂ，１１ｅ，１１ｆが設けられている（図５）。
【００２４】
スクリーン押さえ枠１３は、スクリーン１２に観察像光を入射させるための開口を有する板バネからなる枠状部材であって、スクリーン支持枠１１に挿入されたスクリーン１２を下方側から押さえ込み、突起１３ａ，１３ｂをスクリーン支持枠１１に係合させてスクリーン１２をスクリーン支持枠１１に保持する。
【００２５】
スクリーンユニット７は、ミラーボックス５の開口部５ａの上辺部に位置決めされた状態で押さえ板バネ１４，１５で押圧し固定される。
【００２６】
詳しくは、スクリーン支持枠１１の位置決め穴１１ｃ、位置決め長穴１１ｄをミラーボックス５の位置決めピン５ｃ，５ｄに嵌入させ、また、位置調整用ピン穴（逃げ）１１ｂ，１１ｅ，１１ｆに位置調整用ピン５ｂ，５ｅ，５ｆを挿入して、スクリーンユニット７をミラーボックス５の開口部上面に載置する。但し、位置調整用ピン５ｂ，５ｅ，５ｆには、調整ワッシャ１６，１７，１８を挿入し、介在した状態でスクリーン支持枠１１を載置する。このとき、スクリーン支持枠１１の下方の外周面１１ｇは、開口５ａの内周に緩く嵌合している。
【００２７】
さらに、押さえ板バネ１４および１５の各先端部３箇所をスクリーン支持枠１１の左右支持部の位置調整用ピン穴１１ｂ，１１ｅおよび１１ｆ上の３点に当接させ、ビス挿通穴１４ａ，１５ａに挿通させたビス１９，２０をビス穴５ｇ，５ｈの螺着固定することによって、ミラーボックス５の開口部５ａ上にスクリーンユニット７のスクリーン１２が固定される（図５）。
【００２８】
上述したスクリーン１２の位置は、ファインダ光軸Ｏｆ上の位置は、傾きを含めて正確な結像位置に位置させる必要があり、上記組み立て時に調整ワッシャ１６，１７，１８の各厚みを選択することによって上記位置調整が行われる。
【００２９】
図６に示すようにミラーボックス５の開口部５ａ中には、ファインダユニット８が位置決めして固定され、スクリーンユニット７のスクリーン１２に対して表示板２４が隙間を持つ状態で位置する。スクリーン支持枠１１の外形部の前方側端部と後方端部は、ミラーボックス５およびプリズム支持台２１に対して隙間のある状態で支持されている。
【００３０】
詳しく説明すると、スクリーン支持枠１１の前方側端部は、開口部５ａの中で開口内周面５ｎとスクリーン支持枠外周面１１ｇとで挟まれた狭い隙間部Ｓ1 のある状態で位置し、隙間部Ｓ1 に続く上方は、対向面５ｉと外周面１１ｇとで挟まれたより大きい第一の流路であり、第一の隙間である隙間部Ｓ2 が直進方向（ファインダ光軸Ｏｆと略平行方向）に形成されている。隙間部Ｓ2 は、ペンタプリズム２２の外周部を経てカメラ内部に連通している。隙間部Ｓ2 に対して略直交する方向に交差する状態でスクリーン支持枠１１とプリズム支持台２１との間に第二の流路であり、第二の隙間である隙間部Ｓ3 が連通して設けられている。この隙間部Ｓ3 は、上述したスクリーン１２の光軸Ｏｆ方向への位置調整のために必要な隙間であり、スクリーン１２の裏面１２ａ（ペンタプリズム２２側）に通じている。そして、隙間部Ｓ3 は、隙間部Ｓ2 より狭い（小さい）。
【００３１】
なお、隙間部Ｓ2 の上方側の経路５ｋには塵粘着のための粘着手段である粘着テープ２８が貼付されている（図６）。
【００３２】
一方、スクリーン支持枠１１の後方側端部においては、プリズム支持台２１の後端部下面とミラーボックス５の開口５ａ中の後方にあり、スクリーン支持枠１１の可動ミラー６側の開口端の面と略対向する面５ｊとの間に隙間部Ｓ2 とともに比較的に広い第一の流路であり、第一の隙間である隙間部Ｓ4 が設けられている。この隙間部Ｓ4 は、ファインダユニット８の後方を通ってカメラ内部に連通している。隙間部Ｓ4 に略直交方向に交差して設けられ、スクリーン１２の裏面１２ａに連通する、より狭い第二の流路であり、第二の隙間である隙間部Ｓ5 がスクリーン支持枠１１の後端部とプリズム支持台２１との間に配される。隙間部Ｓ5 の上方には、上述したスクリーン１２の光軸Ｏｆ方向の位置調整のために必要な隙間が設けられている。
【００３３】
なお、隙間部Ｓ4 の後方側の経路５ｍには塵粘着のための粘着手段である粘着テープ２９が貼付されている（図６）。
【００３４】
上述した構成を有するファインダ構造部において、ボディマウント３３の開口部３３ａが開放状態にあるとき、塵が開口部３３ａから進入し、可動ミラー６やスクリーン１２の周囲に付着する。その塵は、通常、ブロアを使用し、該ブロアから吹き出す空気で取り除かれる。そのときの塵を含んだ空気の流れについて説明すると、スクリーン支持枠１１の前方側端部では、上記塵を含んだ空気は、隙間部Ｓ1 を通過して、隙間部Ｓ2 を経てカメラ内部側に流れるが、隙間部Ｓ2 では、ある流速で流れるため、側方にある隙間部Ｓ3 の圧力が低くなって、隙間部Ｓ3 から空気を吸い込むような状態となる。従って、上記空気に混じった塵がスクリーン１２の裏面１２ａに達することが極めて少なくなる。
【００３５】
一方、スクリーン支持枠１１の後方側端部においても上記塵を含んだ空気は、隙間部Ｓ4 を経てカメラ内部側に向けて流れる。隙間部Ｓ4 では上記空気は、ある程度の流速で流れるためにその側方にある隙間部Ｓ5 の圧力が下がり、むしろ、隙間部Ｓ5 から空気を吸い込むような状態となる。従って、同様に上記空気に混じった塵がスクリーン１２の裏面１２ａに達することが極めて少なくなる。
【００３６】
なお、上記塵を含んだ空気は、隙間部Ｓ2 、または、隙間部Ｓ4 を通過した後、経路５ｉ、または、５ｋ上を通過するとき、上記空気に混じった塵は、貼付されている粘着テープ２８、または、２９に付着する。従って、上記塵がカメラ内部に到達する割合が減少する。
【００３７】
図７は、上述した本実施形態の一眼レフカメラ１のファインダ構造部にて試験的にブロアによりスクリーン１２まわりの塵を掃除した後のスクリーン１２の裏面１２ａに付着した塵の状態を示すファインダ観察像（拡大図）である。図７に示すように表示板２４の標識による測光エリアＡｒ１と、フォーカスターゲットＡｒ２の周囲に付着した塵Ｇ１は、前述した従来の一眼レフカメラを用いたテストによる図９の場合と比較して極めて少なくなっている。なお、図７，９の場合、ともに試験を行う前の状態では、スクリーンの裏面には、塵がない状態とする。
【００３８】
以上説明したように本実施形態の一眼レフカメラ１のファインダ構造部によれば、スクリーン支持枠１１の周囲のミラーボックス５、あるいは、プリズム支持台２１に対する隙間を上述した各隙間部Ｓ1 ，Ｓ2 ，Ｓ3 ，Ｓ4 の形状を採用することによって、スクリーン１２の裏面側に進入する塵を少なくすることができる。さらに、隙間部Ｓ2 、および、Ｓ4 に続く後方の経路に粘着テープを貼り付けることによって、カメラ内部に送り込まれる塵を減らすことができる。
【００３９】
なお、本実施形態の説明中、ファインダ構造にペンタプリズム２２を用いたが、このペンタプリズムに替えて公知のダハミラーを含む３枚の反射ミラーから構成された中空状のペンタプリズム形状の反射部材を用いたファインダ用反射手段を適用してもよい。
【００４０】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００４１】
本発明の一眼レフレックスカメラのファインダ構造は、構成自体も簡単であり、ミラーボックス側からの塵の進入を効率よく防ぐことが可能な一眼レフレックスカメラのファインダ構造として利用が可能である。
【図面の簡単な説明】
【００４２】
【図１】本発明の一実施形態のファインダ構造部を内蔵する一眼レフカメラの外装カバーの一部を外した状態における斜視図である。
【図２】図１の一眼レフカメラの分解斜視図である。
【図３】図１の一眼レフカメラのミラーボックス、スクリーンユニット、ファインダユニットの分解斜視図である。
【図４】図３のスクリーンユニットの斜視図である。
【図５】図１の一眼レフカメラにおけるミラーボックスへのスクリーンユニットの取り付け状態を示す分解斜視図である。
【図６】図５のミラーボックスの上方部に装着されるファインダ構造部の配置を示す光軸に沿った拡大断面図である。
【図７】図１の一眼レフカメラのファインダ構造部にて試験的にブロアによってスクリーンまわりの塵を掃除した後のスクリーン裏面に付着した塵の状態を示すファインダ観察像（拡大図）である。
【図８】従来の一眼レフカメラにおけるファインダユニットの配置を示す光軸に沿った拡大断面図である。
【図９】図８の一眼レフカメラにおけるファインダユニットにて試験的にブロアによってスクリーンまわりの塵を掃除した後のスクリーン裏面に付着した塵の状態を示すファインダ観察像（拡大図）である。
【符号の説明】
【００４３】
５  …ミラーボックス
６  …反射ミラー
１１  …スクリーン保持枠
１２  …スクリーン（フォーカシングスクリーン）
２１  …プリズム支持台（ペンタプリズム支持台）
２２  …ペンタプリズム
２６  …スーパーインポーズ用ＬＣＤ
（スーパーインポーズ用表示板）
２８，２９…粘着テープ（粘着手段）
Ｓ2 ，Ｓ4 …隙間部（第一の隙間）
Ｓ3 ，Ｓ5 …隙間部（第二の隙間）
【図１】
2009258296.tif 000003
【図２】
2009258296.tif 000004
【図３】
2009258296.tif 000005
【図４】
2009258296.tif 000006
【図５】
2009258296.tif 000007
【図６】
2009258296.tif 000008
【図７】
2009258296.tif 000009
【図８】
2009258296.tif 000010
【図９】
2009258296.tif 000011